(57)【特許請求の範囲】
【請求項１】
直交周波数分割多重（ＯＦＤＭ）放送信号を受信するＯＦＤＭ受信機であって、前記受信されたＯＦＤＭ放送信号が複数のフレームを伝え、各フレームがプリアンブル部分および後続データ部分を含み、後続データ部分が送信前にフィルタリングされている又はフィルタリングされていない場合に少なくとも１つのプリアンブル部分が前記受信機に情報を伝える、前記ＯＦＤＭ受信機と、
後続データ部分が送信前にフィルタリングされている又はフィルタリングされていない場合に、前記情報に応答して、送信前にフィルタリングされることを補償するために前記後続データ部分を処理するようにフィルタを制御するプロセッサと
を含む、受信機。
【請求項２】
前記ＯＦＤＭ放送信号が、ＤＶＢ−Ｔ２に従ってフォーマットされている、請求項１に記載の受信機。
【請求項３】
各フレームがＴ２フレームであり、前記プリアンブル部分がＬ１プレシグナリング・テーブルである、請求項２に記載の受信機。
【請求項４】
受信機において使用される方法であって、
直交周波数分割多重（ＯＦＤＭ）放送信号を受信することであって、前記受信されたＯＦＤＭ放送信号が複数のフレームを伝え、各フレームがプリアンブル部分および後続データ部分を含み、後続データ部分が送信前にフィルタリングされている又はフィルタリングされていない場合に少なくとも１つのプリアンブル部分が前記受信機に情報を伝える、ことと、
後続データ部分が送信前にフィルタリングされている又はフィルタリングされていない場合に、前記情報に応答して、送信前にフィルタリングされることを補償するために前記後続データ部分を処理するようにフィルタを制御することと
を含む、方法。
【請求項５】
前記ＯＦＤＭ放送信号が、ＤＶＢ−Ｔ２に従ってフォーマットされている、請求項４に記載の方法。
【請求項６】
各フレームがＴ２フレームであり、前記プリアンブル部分がＬ１プレシグナリング・テーブルである、請求項５に記載の方法。
【請求項７】
直交周波数分割多重（ＯＦＤＭ）放送信号を送信する装置であって、
前記ＯＦＤＭ放送信号に対する隣接チャネル干渉（ＡＣＩ）のレベルを推定するＡＣＩ推定器と、
前記ＡＣＩのレベルが閾値より高い場合に、前記ＯＦＤＭ放送信号を選択的にフィルタリングするフィルタと、
前記ＯＦＤＭ放送信号がいつフィルタリングされたかを示すために前記ＯＦＤＭ放送信号におけるシグナリング情報を修正するプロセッサと、
を含む、装置。
【請求項８】
前記ＯＦＤＭ放送信号が、ＤＶＢ−Ｔ２に従ってフォーマットされている、請求項７に記載の装置。
【請求項９】
前記ＯＦＤＭ放送信号が、ＤＶＢ−Ｔ２に従ってフォーマットされており、前記シグナリング情報がＬ１プレシグナリング・テーブルである、請求項７に記載の装置。
【請求項１０】
直交周波数分割多重（ＯＦＤＭ）放送信号を送信する送信機において使用される方法であって、
前記ＯＦＤＭ放送信号に対する隣接チャネル干渉（ＡＣＩ）のレベルを推定することと、
前記ＡＣＩのレベルが閾値より高い場合に、前記ＯＦＤＭ放送信号を選択的にフィルタリングすることと、
前記ＯＦＤＭ放送信号がいつフィルタリングされたかを示すために前記ＯＦＤＭ放送信号におけるシグナリング情報を修正することと、
を含む、方法。
【請求項１１】
前記ＯＦＤＭ放送信号が、ＤＶＢ−Ｔ２に従ってフォーマットされている、請求項１０に記載の方法。
【請求項１２】
前記ＯＦＤＭ放送信号が、ＤＶＢ−Ｔ２に従ってフォーマットされており、前記シグナリング情報がＬ１プレシグナリング・テーブルである、請求項１０に記載の方法。
【発明の詳細な説明】
【技術分野】
【０００１】
本発明は、広く、通信システムに関し、より具体的には、テレビ（ＴＶ）システムに関する。
【背景技術】
【０００２】
直交周波数分割多重（ＯＦＤＭ）スタイル・システムでは、データは、ＯＦＤＭシンボルとして知られているグループ毎に送信される。各ＯＦＤＭシンボルは、各搬送波上で同じまたは異なる変調を有し得るいくつかの個々の搬送波で構成されている。各ＯＦＤＭシンボルは異なるため、それらのＯＦＤＭシンボルは異なる周波数特性を有する。そのようなシステムの一例は、ＤＶＢ−Ｔ２などの地上デジタルテレビ放送（ＤＶＢ−Ｔ）スタイル?システムである。ＤＶＢ−Ｔ２システムでは、各ＯＦＤＭシンボルの生成の際に使用される高速フーリエ変換（ＦＦＴ）は、次のサイズ、すなわち、１Ｋ、２Ｋ、８Ｋ、１６Ｋまたは３２Ｋ（Ｋ＝１０２４）を有し得て、ＤＶＢ−Ｔ２におけるキャリア・モード（例えば、８Ｋキャリア・モード）とも称される。それに加えて、８Ｋ、１６Ｋまたは３２Ｋ  ＦＦＴサイズでは、通常キャリア・モードおよび拡張キャリア・モードが存在し得る。拡張キャリア・モードでは、チャネルの最適な使用を可能にするために、チャネルスペクトルの両端に追加の搬送波が追加される。  
【０００３】
いかなる通信システムにおいても、シンボル間干渉（ＩＳＩ）、隣接チャネル干渉（ＡＣＩ）など、様々なタイプの干渉が存在し得る。ＯＦＤＭスタイル・システムという環境においては、ＡＣＩは、送信信号から隣接チャネルへの外部電力によって生じる干渉である（ＤＶＢ−Ｔ２では、チャネル間隔は、例えば、８ＭＨｚであり得る）。有利な点としては、ＤＶＢ−Ｔ２システムでは、高速フーリエ変換（ＦＦＴ）のサイズが大きくなるほど、送信信号のスペクトルはチャネル帯域外により急速にロールオフし、従って、隣接チャネルに対する影響が制限される。それに加えて、隣接チャネルに対する送信信号の影響をさらに制限するため、通常、送信アンテナの前にアナログＲＦ（無線周波数）フィルタが存在する。
【０００４】
上記にもかかわらず、ＤＶＢ−Ｔ２システムでさえ、ＡＣＩの例が依然として存在し得る。公知の解決法の１つは、チャネルをオフセットすることによるものである。例えば、３つの隣接チャネルＡ、ＢおよびＣが存在し、例えば、チャネルＡとチャネルＢとの間に潜在的な干渉が存在した場合は、これは、ＢをＣの方にオフセットすることによって解決することができる。しかし、これにより、チャネルＢとチャネルＣとの間にコンフリクトが生じ得る。
【発明の概要】
【０００５】
チャネルをオフセットする必要もなく、ＡＣＩの影響をさらに低減する他の方法を実現した。具体的には、各ＯＦＤＭシンボルは、信号が隣接チャネルに干渉しないように、何らかの方法でさらにフィルタリングすることができる。しかし、ＯＦＤＭ信号のさらなるフィルタリングは、ＯＦＤＭシンボルにおける何らかの歪みを生じさせる恐れがあり、それにより、性能が低減し得る。従って、本発明の原理によれば、各ＯＦＤＭシンボルの選択的なフィルタリングが実行される。例示的には、各ＯＦＤＭシンボルは、ＡＣＩのレベルを決定するために、送信前にチェックされる。現在のＯＦＤＭシンボルによって生じるＡＣＩのレベルは、隣接チャネルに流れ込む信号電力のレベルを推定することによって見出すことができる。これは、隣接チャネルに対して、典型的な送信機増幅器および送信機出力フィルタをシミュレーションし、それに続いて、典型的な受信機フィルタをシミュレーションすることによってデジタル方式で行うことができる。シミュレーションされた受信機において見られる信号電力量は、送信ＡＣＩのレベルの推定である。ＡＣＩのレベルが高過ぎる場合は、ＯＦＤＭシンボルは、送信前にフィルタリングされる。そうでなければ、ＯＦＤＭシンボルは、フィルタリングなしで送信される。フィルタの使用は、シグナリング情報の一部としてシグナリングされる。例えば、ＤＶＢ−Ｔ２スタイル・システムのＬ１シグナリング情報の一部がシグナリングされ、受信したＯＦＤＭシンボルに対するフィルタの使用を補償するために、受信機に通知する。その結果、ＯＦＤＭシンボルにおけるフィルタリング歪みは、ＡＣＩを防ぐために必要な場合にのみフィルタリングすることによって低減される。
【０００６】
本発明の例示的な態様では、放送ＴＶ信号は、ＤＶＢ−Ｔ２ベースのシステムである。ＤＶＢ−Ｔ２送信機は、ＡＣＩのレベルを確認するために、送信前にＯＦＤＭシンボルをチェックする。ＡＣＩのレベルが高過ぎる（すなわち、閾値を上回る）場合は、ＯＦＤＭシンボルは、送信前にフィルタリングされる。そうでなければ、ＯＦＤＭシンボルは、フィルタリングなしで送信される。フィルタリングフィールドは、受信されたＯＦＤＭシンボルがフィルタリングされている際にＤＶＢ−Ｔ２受信機にシグナリングするために、放送ＤＶＢ−Ｔ２信号のＬ１プレシグナリング・テーブルに追加される。本発明の特徴によれば、フィルタリングフィールドは、ＯＦＤＭシンボルに対して実行されたフィルタリングのタイプを伝えることもできる。
【０００７】
本発明の他の例示的な態様では、ＤＶＢ−Ｔ２受信機は、ＯＦＤＭ放送信号を受信するＯＦＤＭ受信機であって、受信されたＯＦＤＭ放送信号がフレームを伝え、各フレームがプリアンブル部分および後続データ部分を含み、後続データ部分が送信前にフィルタリングされている場合に少なくとも１つのプリアンブル部分が受信機に情報を伝える、ＯＦＤＭ受信機と、後続データ部分が送信前にフィルタリングされている場合に情報に応答して、送信前にフィルタリングを補償するために後続データ部分を処理するようにフィルタを制御するプロセッサと、を含む。本発明の特徴によれば、情報を伝えるプリアンブル部分は、ＤＶＢ−Ｔ２  Ｌ１プレ・シグナリング・テーブルの一部である。
【０００８】
上記を考慮して、詳細な説明を読み進めることから明らかであるように、他の態様および特徴も可能であり、本発明の原理の範囲内に含まれる。
【図面の簡単な説明】
【０００９】
【図１】本発明の原理による例示的なＤＶＢ−Ｔ２対応信号フォーマットを示す。
【図２】本発明の原理による例示的なＤＶＢ−Ｔ２  Ｌ１プレシグナリング・テーブルを示す。
【図３】本発明の原理による例示的な送信機を示す。
【図４】本発明の原理による例示的なＤＶＢ−Ｔ２送信機の一部分を示す。
【図５】本発明の原理によるＤＶＢ−Ｔ２送信機における使用のための例示的なフローチャートを示す。
【図６】本発明の原理によるＤＶＢ−Ｔ２送信機における使用のための例示的な閾値を示す。
【図７】本発明の原理によるＤＶＢ−Ｔ２送信機における使用のための例示的なフローチャートを示す。
【図８】本発明の原理によるデバイスまたは受信機の例示的な実施形態を示す。
【図９】本発明の原理による例示的なＤＶＢ−Ｔ２受信機の一部分を示す。
【図１０】本発明の原理によるＤＶＢ−Ｔ２受信機における使用のための例示的なフローチャートを示す。
【発明を実施するための形態】
【００１０】
本発明の概念を除いて、図に示される要素はよく知られており、詳細には説明しない。例えば、本発明の概念を除いて、セットトップボックスまたはデジタルテレビ（ＤＴＶ）およびそのコンポーネント（フロントエンド、ヒルベルトフィルタ、搬送波追跡ループ、ビデオプロセッサ、リモートコントロールなど）はよく知られており、本明細書では詳細には説明しない。それに加えて、本発明の概念を除いて、ネットワーキング、ＯＦＤＭ、ならびに、ＴＶ規格に関する現在のおよび提案された勧告についてよく知られていることに関しては、本明細書では説明しない。例えば、ＮＴＳＣ（全国テレビジョン方式委員会：National Television Systems Committee）、ＰＡＬ（位相反転線：Phase Alternation Line）、ＳＥＣＡＭ（順次式カラーメモリ：SEquential Couleur Avec Memoire）、ＡＴＳＣ（高度テレビジョンシステムズ委員会：Advanced Television Systems Committee）（例えば、ＡＴＳＣ規格：地上波放送およびケーブル用のプログラムおよびシステム情報プロトコル文書Ａ／６５（Program and System Information Protocol for Terrestrial Broadcast and Cable (PSIP) Document A/65））、中国のデジタルテレビジョンシステム（ＧＢ）２０６００−２００６（Chinese Digital Television System (GB) 20600-2006）、デジタルテレビ放送（Digital Video Broadcasting）（ＤＶＢ−Ｔ２）およびＤＶＢ−Ｈなど。具体的には、次のＤＶＢ−Ｔ２規格、すなわち、ETSI EN 302 755 VI.3.1：デジタルテレビ放送；第２世代デジタル地上波テレビ放送システムのためのフレーム構造チャネル符号化および変調（Digital Video Broadcasting (DVB)； Frame structure channel coding and modulation for a second generation digital terrestrial television broadcasting system (DVB-T2)）、ETSI TS 108 831 Vl.2.1：デジタルテレビ放送（ＤＶＢ）；第２世代デジタル地上波テレビ放送システムのための実装ガイドライン（Digital Video Broadcasting (DVB)；Implementation Guidelines for a second generation digital terrestrial television broadcasting system (DVB-T2)）、ETSI TS 102 992：デジタルテレビ放送（ＤＶＢ）；ＤＶＢ−Ｔ２第２世代デジタル地上波テレビ放送システムで使用するための任意選択の送信機シグネチャの構造および変調（Digital Video Broadcasting (DVB)； Structure and modulation of optional transmitter signatures (T2-TX-SIG) for use with the DVB-T2 second generation digital terrestrial television broadcasting system）、ならびに、ETSI EN 300 468：デジタルテレビ放送（ＤＶＢ）；ＤＶＢシステムにおけるサービス情報のための仕様（Digital Video Broadcasting (DVB)；Specification for Service Information (SI) in DVB systems）がよく知られているものと想定される。また、本発明の概念は従来のプログラミング技法を使用して実現できることにも留意すべきであり、その点については本明細書では説明しない。最後に、図上の同様の番号は、同様の要素を表す。
【００１１】
上述のように、チャネルをオフセットする必要もなく、ＡＣＩの影響をさらに低減する他の方法を実現した。具体的には、各ＯＦＤＭシンボルは、信号が隣接チャネルに干渉しないように、何らかの方法でさらにフィルタリングすることができる。しかし、ＯＦＤＭ信号のさらなるフィルタリングは、ＯＦＤＭシンボルにおける何らかの歪みを生じさせる恐れがあり、それにより、性能が低減し得る。従って、本発明の原理によれば、各ＯＦＤＭシンボルの選択的なフィルタリングが実行される。例示的には、各ＯＦＤＭシンボルは、ＡＣＩのレベルを確認するために、送信前にチェックされる。ＡＣＩのレベルが高過ぎる場合は、ＯＦＤＭシンボルは、送信前にフィルタリングされる。そうでなければ、ＯＦＤＭシンボルは、フィルタリングなしで送信される。フィルタの使用は、シグナリング情報の一部としてシグナリングされる。例えば、ＤＶＢ−Ｔ２スタイル・システムのＬ１シグナリング情報の一部がシグナリングされ、受信したＯＦＤＭシンボルに対するフィルタの使用を補償するために、受信機に通知する。その結果、ＯＦＤＭシンボルにおけるフィルタリング歪みは、ＡＣＩを防ぐために必要な場合にのみフィルタリングすることによって低減される。
【００１２】
ここでは、ＤＶＢ−Ｔ２システムという環境において、本発明の例示的な実施形態を説明する。現在のＤＶＢ−Ｔ２スタイル・システムでは、主要なＯＦＤＭデータシンボルの前に、プリアンブルが送信される。本発明の原理によるＤＶＢ−Ｔ２対応信号フォーマットは、図１に示されている。図１に示されるように、ＤＶＢ−Ｔ２対応信号フォーマットは、スーパーフレームのシーケンス（楕円によって表されるようなもの）からなり、各スーパーフレームは、最大でも２５６個のＴ２フレーム（０から２５５まで番号付けられる）を含む。各Ｔ２フレームは、最大でも２５０ミリ秒の長さである。それに加えて、各スーパーフレームは、１つまたは複数の将来拡張フレーム（Ｆｕｔｕｒｅ  Ｅｘｔｅｎｓｉｏｎ  Ｆｒａｍｅｓ：ＦＥＦｓ）も含み得る。各Ｔ２フレームは、物理層パイプ（ｐｈｙｓｉｃａｌ  ｌａｙｅｒ  ｐｉｐｅｓ：ＰＬＰｓ）用のＰ１シグナリング、Ｌ１プレシグナリング、Ｌ１ポストシグナリングおよびデータシンボルを搬送する（例えば、ETSI EN 302 755およびETSI TS 102 831を参照）。ＰＬＰｓは、サービス、例えば、ユーザが閲覧するためのプログラムを搬送する。図１に示されるように、Ｌ１プレシグナリング・データは、データシンボルの前に、Ｔ２フレームの初期の部分におけるプリアンブルの一部として送信される。
【００１３】
本発明の原理によれば、図１のＬ１プレシグナリング・データは、送信前に後続のＯＦＤＭシンボルにフィルタが適用されたか否かをＤＶＢ−Ｔ２受信機にシグナリングするために使用されるＦＩＬＴＥＲフィールドを含むように修正される。図２に示されるように、ここでは、ＤＶＢ−Ｔ２のＬ１プレシグナリング・テーブル１００は、矢印１０１によって示されるように、長さ３２ビットのＦＩＬＴＥＲフィールドを含むように修正される。例示的には、この３２ビットのフィールドは２進値を表し、例えば、ゼロの値はフィルタリングなしということと関連付けられ、ゼロでない値はフィルタリング有りということと関連付けられる。また、他の変形形態も可能であり、例えば、ゼロの値は依然としてフィルタリングなしということと関連付けられるが、ゼロでない特定の値はＯＦＤＭシンボルに適用された特定のタイプのフィルタリングを示すことにも留意すべきである。
【００１４】
ここで、図３を参照すると、本発明の原理による送信機１５０の例示的な実施形態が示されている。本発明の概念に関連する送信機１５０の部分（例えば、データ１０５の処理）のみが示されている。後の処理は、Ｔ２フレームに対する情報のシーケンス（すなわち、図１に示されるようなＰ１シグナリング、Ｌ１プレシグナリングおよびデータシンボル）を表す。データ１０５のＬ１プレシグナリング部分は、図２に示されるように、ＦＩＬＴＥＲフィールドを含むように修正される。前述したように、このＦＩＬＴＥＲフィールドは、後続のＯＦＤＭシンボルがフィルタリングされているか否かをＤＶＢ−Ｔ２スタイル受信機に示す。本発明の概念を除いて、送信機１５０は、ＤＶＢ−Ｔ２規格に準拠する（例えば、ETSI TS 102 831およびETSI EN 302 755で説明されるＤＶＢ−Ｔ２実装ガイドラインを参照）。送信機１５０は、代表的には、信号を送信するプロセッサベースのプラットフォームである。この点において、送信機１５０は、図３において破線ボックスの形態で示されているプロセッサ１９０およびメモリ１９５によって表される１つまたは複数のプロセッサおよび関連メモリを含む。この環境では、コンピュータプログラムまたはソフトウェア（例えば、図５および７のフローチャートを表す）は、プロセッサ１９０による実行のためにメモリ１９５に格納される。プロセッサ１９０は、代表的には、１つまたは複数の格納プログラム制御プロセッサであり、これらは、送信機能専用のものである必要はなく、例えば、プロセッサ１９０は、送信機１５０の他の機能を制御することもできる。メモリ１９５は、代表的には、例えば、ランダムアクセスメモリ（ＲＡＭ）、読み取り専用メモリ（ＲＯＭ）などの記憶装置であり、送信機１５０の内部および／または外部にあるものであってもよく、必要に応じて、揮発性および／または不揮発性である。送信機１５０は、ＤＶＢ−Ｔ２送信機１６０を含む。ＤＶＢ−Ｔ２送信機１６０は、代表的には、ＤＶＢ−Ｔ２における符号化、フレーミング、変調などである。この例では、８Ｋキャリア・モードが使用され得る。これらのコンポーネントのいずれかまたはすべては、プロセッサ１９０およびメモリ１９５を利用してソフトウェアにより実現することができる。最後に、ＤＶＢ−Ｔ２送信機１６０は、ＯＦＤＭシンボルを選択的にフィルタリングし、アンテナ（図示せず）を介して送信される信号１６１を生成する。
【００１５】
ここで、図４を参照すると、ＯＦＤＭシンボルを選択的にフィルタリングする本発明の例示的な実施形態が示されている。本発明の概念に関連するＤＶＢ−Ｔ２送信機１６０の部分のみが示されている。ＤＶＢ−Ｔ２送信機１６０は、ＯＦＤＭ生成要素２０５、スイッチ２１０および２２０、ＯＦＤＭフィルタ２１５、ＡＣＩ推定器２３０、ならびに、放送送信機２２５を含む。例示的には、スイッチ２１０は、送信前にＡＣＩの存在を判定するＡＣＩ推定器２３０がＤＶＢ−Ｔ２フレームを処理する間に、当該ＤＶＢ−Ｔ２フレームを格納するバッファ（図示せず）を含むものとすることができる。図３について上記で記述されるように、図４に示した機能のうちの１つまたは複数は、プロセッサ１９０およびメモリ１９５を利用してソフトウェアにより実現することができる。ＯＦＤＭ生成要素２０５は、データ１０５を受信し、図１に示されるように、Ｔ２スーパーフレームにフォーマットされた当技術分野で知られているようなＯＦＤＭシンボル２０６を生成する。ＯＦＤＭシンボル２０６は、ＡＣＩ推定器２３０に入力され、ＡＣＩ推定器２３０は、ＯＦＤＭシンボルに対する隣接チャネル干渉の量を推定し、ＡＣＩインジケータ２３１（以下でさらに説明する）をプロセッサ１９０に提供する。ＡＣＩ推定器２３０は、隣接チャネルに流れ込む信号電力のレベルを推定することによって、現在のＯＦＤＭシンボルによって生じたＡＣＩのレベルを確認することができる。これは、隣接チャネルに対して、典型的な送信機増幅器および送信機出力フィルタをシミュレーションし、それに続いて、典型的な受信機フィルタをシミュレーションすることによってデジタル方式で行うことができる。シミュレーションされた受信機において見られる信号電力量は、送信ＡＣＩのレベルの推定値である。ＡＣＩが存在する可能性をＡＣＩインジケータ２３１が示した場合は、プロセッサ１９０は、信号経路２１２を介してＯＦＤＭシンボル２０６がＯＦＤＭフィルタ２１５に入力されるように、制御信号２９９を介してスイッチ２１０を制御する。ＯＦＤＭフィルタ２１５はデジタルフィルタとすることができる。ＯＦＤＭフィルタ２１５は、ＯＦＤＭフィルタリング済みシンボル２１６をスイッチ２２０に提供し、スイッチ２２０もまた制御信号２９９の制御下にあり、信号経路２２１を介して放送送信機２２５にＯＦＤＭフィルタリング済みシンボル２１６を提供する。ＯＦＤＭフィルタ２１５は、本発明の原理によるＯＦＤＭシンボルの追加のフィルタリングを表す。前述したように、ＯＦＤＭフィルタ２１５は異なるフィルタのバンクであり、バンクの各フィルタはＡＣＩ推定器２３０によって提供される推定ＡＣＩ量に基づいて選択される場合がある。他の例として、ＤＶＢ−Ｔ２信号の異なるキャリア・モードのための異なるフィルタが存在し得る。
【００１６】
他方では、ＡＣＩが存在する可能性をＡＣＩインジケータ２３１が示さない場合は、プロセッサ１９０は、フィルタリングなしでＯＦＤＭシンボル２０６が放送送信機２２５に入力されるように、制御信号２９９を介してスイッチ２１０および２２０を制御する。放送送信機２２５は、信号経路２２１を介してＯＦＤＭシンボル（フィルタリングされた、またはフィルタリングされていない）を受信し、特定の無線周波数（ｒｆ）チャネルに信号をアップコンバートし、アンテナ（図示せず）を介して送信する信号１６１を生成する。放送送信機２２５は、放送前に、アナログ領域においてｒｆ信号を追加的にフィルタリングすることができる。
【００１７】
上述のように、要素２１０および２２０はスイッチとして示されている。しかし、これらは実際のスイッチである必要はなく、むしろ、説明を容易にするスイッチング機能の視覚的な例示を提供することに留意すべきである。例えば、ＯＦＤＭシンボル２０６のための信号処理経路を切り替える代わりに、本発明の原理に従ってＯＦＤＭフィルタ２１５の機能を実現するためにＯＦＤＭシンボルをフィルタリングする追加の処理がプロセッサ１９０によって実行される場合がある。
【００１８】
ここで、図５を参照すると、ＡＣＩ推定器２３０における使用のための例示的なフローチャートが示されている。ステップ３０５では、ＡＣＩ推定器２３０は、ＯＦＤＭシンボル２０６に対して存在し得るＡＣＩのレベルを推定する。ステップ３１０では、ＡＣＩ推定器２３０は、ＡＣＩの推定レベルを、信号の側波帯の閾値と比較する。側波帯に対するＡＣＩの推定レベルが閾値を上回る場合は、ＡＣＩ推定器２３０は、ステップ３２０において、信号２３１を介してＡＣＩが存在し得ることをプロセッサ１９０に示す。他方では、側波帯に対するＡＣＩの推定レベルが閾値を下回るかまたはそれと等しい場合は、ＡＣＩ推定器２３０は、ステップ３１５において、信号２３１を介してＡＣＩの不存在をプロセッサ１９０に示す。図６を参照すると、例示的な閾値３０１が示されている。矢印３２２の方向における破線３２１の右側の周波数（すなわち、右の側波帯）に対し、閾値３０１との比較が行われている。図６では、この周波数範囲の信号（ラベル３２３によって示される）は、閾値３０１を下回って示されており、ＡＣＩは存在しない。破線３１７、矢印３１８およびラベル３１９によって示されるように、左の側波帯に対しても同様の説明が成り立つ。
【００１９】
ここで、図７を参照すると、本発明の原理によるプロセッサ１９０による使用のための他の例示的なフローチャートが示されている。ステップ４０５では、プロセッサ１９０は、ＡＣＩ推定器２３０によってシグナリングされるようなＡＣＩの存在をチェックする。ＡＣＩが検出されていれば、プロセッサ１９０は、ステップ４１０において、ＯＦＤＭシンボルのフィルタリングを示すために、Ｌ１プレシグナリング・テーブルのＦＩＬＴＥＲフィールドを設定する。次いで、ステップ４１５において、プロセッサ１９０は、ＯＦＤＭシンボル２０６が放送送信機２２５に入力される前にＯＦＤＭフィルタ２１５によってフィルタリングされるように、スイッチ２１０および２１０を制御する。その一方で、ＡＣＩが検出されていなければ、プロセッサ１９０は、ステップ４２０において、ＯＦＤＭシンボルのフィルタリングなしを示すために、Ｌ１プレシグナリング・テーブルのＦＩＬＴＥＲフィールドを設定する。次いで、ステップ４２５において、プロセッサ１９０は、ＯＦＤＭシンボル２０６が放送送信機２２５に入力される前にＯＦＤＭフィルタ２１５によってフィルタリングされないように、スイッチ２１０および２２０を制御する。ステップ４１０と４１５の順番およびステップ４２０と４２５の順番は重要ではない（例えば、ステップ４１５はステップ４１０の前に始めることができる）ことに留意すべきである。
【００２０】
上記を考慮し、かつ本発明の原理に従って、ＤＶＢ−Ｔ２スタイル送信機は、送信前にＯＦＤＭシンボルを選択的にフィルタリングする。その結果、ＯＦＤＭシンボルにおけるフィルタリング歪みは、ＡＣＩを防ぐために必要な場合にのみフィルタリングすることによって低減される。
【００２１】
本発明の原理による例示的なデバイスまたは受信機の高レベルのブロック図が図８に示されている。デバイス７００（例えば、テレビ）は、ＤＶＢ−Ｔ２受信機７１０およびディスプレイ７２０を含む。ＤＶＢ−Ｔ２受信機７１０は、例えば、ディスプレイ７２０に入力してその上で映像コンテンツを閲覧するためのＨＤＴＶ（高解像度ＴＶ）映像信号である放送ＤＶＢ−Ｔ２信号７０１を（例えば、図示されないアンテナを介して）受信して、それから回復する処理を行う。それに加えて、ＤＶＢ−Ｔ２受信機７１０は、受信したＯＦＤＭシンボルを選択的に処理するために、本発明の原理に従ってＦＩＬＴＥＲフィールドを使用するＬ１プレシグナリング・テーブルを検索する。デバイス７００は、プロセッサベースのシステムであり、図８において破線ボックスの形態で示されているプロセッサ７６０およびメモリ７６５によって表される１つまたは複数のプロセッサおよび関連メモリを含む。この環境では、コンピュータプログラムまたはソフトウェア（例えば、図１０のフローチャートを表す）は、プロセッサ７６０による実行のためにメモリ７６５に格納される。記述されるように、プロセッサ７６０は、代表的には、１つまたは複数の格納プログラム制御プロセッサであり、これらは、デバイス７００のいずれか１つの特定の機能専用のものである必要はなく、例えば、プロセッサ７６０は、デバイスの他の機能を制御することもできる。メモリ７６５は、代表的に、例えば、ランダムアクセスメモリ（ＲＡＭ）、読み取り専用メモリ（ＲＯＭ）などの記憶装置であり、デバイスの内部および／または外部にあるものであってもよく、必要に応じて、揮発性および／または不揮発性である。
【００２２】
ここで、図９を参照すると、ＯＦＤＭシンボルがフィルタリングされている場合にＯＦＤＭシンボルを選択的に処理する本発明の例示的な実施形態が示されている。本発明の概念に関連するＤＶＢ−Ｔ２受信機７１０の部分のみが示されている。ＤＶＢ−Ｔ２受信機７１０は、放送受信機９０５、スイッチ９１０および９２０、ＯＦＤＭフィルタ補償９１５、ならびに、ＯＦＤＭ復調器９２５を含む。図８に関して上記で記述されるように、図９の機能のうちの１つまたは複数は、プロセッサ７６０およびメモリ７６５を利用してソフトウェアにより実現することができる。放送受信機９０５は、ｒｆチャネルからＤＶＢ−Ｔ２放送信号を受信し、図１に示されるようなスーパーフレームにフォーマットされる受信されたＯＦＤＭシンボル９０６を提供するために信号をダウンコンバートする。受信されたＯＦＤＭシンボル９０６は、スイッチ９１０に入力される。プロセッサ７６０は、Ｌ１プレシグナリング・テーブルのＦＩＬＴＥＲフィールドの値を特定し、制御信号７６１を介してスイッチ９１０および９２０を適切に制御する。受信されたＯＦＤＭシンボルがＯＦＤＭフィルタリングされていることをＦＩＬＴＥＲフィールドが示す場合は、プロセッサ７６０は、受信されたＯＦＤＭシンボルがＯＦＤＭフィルタ補償９１５に入力されるように、スイッチ９１０を制御する。後は、図４のＯＦＤＭフィルタ２１５の逆の機能を実行する。次いで、ＯＦＤＭフィルタ補償９１５は、補償されたＯＦＤＭシンボル９１６をスイッチ９２０に入力し、スイッチ９２０もまた制御信号７６１の制御下にあり、ＯＦＤＭ復調器９２５に補償されたＯＦＤＭシンボルを信号経路９２１を介して提供する。前に記述したように、図４のＯＦＤＭフィルタ２１５は異なるフィルタのバンクである場合がある。この事例では、ＦＩＬＴＥＲフィールドは、どの補完的なＯＦＤＭフィルタ補償を使用するかを受信機に示す。
【００２３】
一方、受信されたＯＦＤＭシンボルがＯＦＤＭフィルタリングされていることをＦＩＬＴＥＲフィールドが示さない場合は、プロセッサ７６０は、ＯＦＤＭフィルタ補償なしで受信されたＯＦＤＭシンボル９０６がＯＦＤＭ復調器９２５に入力されるように、制御信号７６１を介してスイッチ９１０および９２０を制御する。ＯＦＤＭ復調器９２５は、信号経路９２１を介してＯＦＤＭシンボル（補償されたまたは補償されていない）を受信して、復調されたデータ７１１を出力し、その復調されたデータから、例えば、ディスプレイ７２０に入力してその上で映像コンテンツを閲覧するためのＨＤＴＶ映像信号が回復される。
【００２４】
図４について前述したように、図９の要素９１０および９２０は、スイッチとして指定されている。しかし、これらは実際のスイッチである必要はなく、むしろ、説明を容易にするために、スイッチング機能の視覚的な例示を提供することに留意すべきである。
【００２５】
［００３４］  ここで、図１０を参照すると、本発明の原理による受信機における使用のための例示的なフローチャートが示されている。ステップ５０５では、プロセッサ７６０は、受信されたＴ２フレームについて受信されたＬ１プレシグナリング・テーブルのＦＩＬＴＥＲフィールドから、受信されたＯＦＤＭシンボルに対してフィルタリングが実行されたかどうかを判断する。フィルタリングが実行された場合は、プロセッサ７６０は、ステップ５１０において、ＯＦＤＭシンボルをＯＦＤＭ復調器９２５に入力する前に、ＯＦＤＭフィルタ補償９１５を介してフィルタリングを補償するように、制御信号７６１を介してスイッチ９１０および９２０を制御する。しかし、フィルタリングが実行されなかった場合は、プロセッサ７６０は、ステップ５１５において、ＯＦＤＭフィルタ補償を実行することなく、受信されたＯＦＤＭシンボル９０６がＯＦＤＭ復調器９２５に入力されるように、制御信号７６１を介してスイッチ９１０および９２０を制御する。
【００２６】
上記を考慮して、前述は単に本発明の原理を示し、従って、当業者は多くの代替の構成を考案することができ、多くの代替の構成は、本明細書では明示的に説明されていないが、本発明の原理を具体化し、その精神および範囲内であることが理解されよう。従って、本発明の精神および範囲から逸脱することなく、例示的な実施形態に対する多くの変更を行うことができ、他の構成を考案できることを理解されたい。
上記実施形態の一部又は全部は、以下の付記のようにも記載されうるが、以下には限られない。
（付記１）
直交周波数分割多重（ＯＦＤＭ）放送信号を受信するＯＦＤＭ受信機であって、前記受信されたＯＦＤＭ放送信号が複数のフレームを伝え、各フレームがプリアンブル部分および後続データ部分を含み、後続データ部分が送信前にフィルタリングされている場合に少なくとも１つのプリアンブル部分が前記受信機に情報を伝える、前記ＯＦＤＭ受信機と、
後続データ部分が送信前にフィルタリングされている場合に、前記情報に応答して、送信前に前記フィルタリングを補償するために前記後続データ部分を処理するようにフィルタを制御するプロセッサと
を含む、受信機。
（付記２）
前記ＯＦＤＭ放送信号が、ＤＶＢ−Ｔ２に従ってフォーマットされている、付記１に記載の受信機。
（付記３）
各フレームがＴ２フレームであり、前記プリアンブル部分がＬ１プレシグナリング・テーブルである、付記２に記載の受信機。
（付記４）
受信機において使用される方法であって、
直交周波数分割多重（ＯＦＤＭ）放送信号を受信することであって、前記受信されたＯＦＤＭ放送信号が複数のフレームを伝え、各フレームがプリアンブル部分および後続データ部分を含み、後続データ部分が送信前にフィルタリングされている場合に少なくとも１つのプリアンブル部分が前記受信機に情報を伝える、ことと、
後続データ部分が送信前にフィルタリングされている場合に、前記情報に応答して、送信前に前記フィルタリングを補償するために前記後続データ部分をフィルタリングすることと
を含む、方法。
（付記５）
前記ＯＦＤＭ放送信号が、ＤＶＢ−Ｔ２に従ってフォーマットされている、付記４に記載の方法。
（付記６）
各フレームがＴ２フレームであり、前記プリアンブル部分がＬ１プレシグナリング・テーブルである、付記５に記載の方法。
（付記７）
直交周波数分割多重（ＯＦＤＭ）放送信号を送信する装置であって、
前記ＯＦＤＭ放送信号に対する隣接チャネル干渉（ＡＣＩ）のレベルを推定するＡＣＩ推定器と、
前記ＡＣＩのレベルが閾値より高い場合に、前記ＯＦＤＭ放送信号を選択的にフィルタリングするフィルタと
を含む、装置。
（付記８）
前記ＯＦＤＭ放送信号が、ＤＶＢ−Ｔ２に従ってフォーマットされている、付記７に記載の装置。
（付記９）
前記ＯＦＤＭ放送信号がいつフィルタリングされたかを示すために前記ＯＦＤＭ放送信号におけるシグナリング情報を修正するプロセッサ
をさらに含む、付記７に記載の装置。
（付記１０）
前記ＯＦＤＭ放送信号が、ＤＶＢ−Ｔ２に従ってフォーマットされており、前記シグナリング情報がＬ１プレシグナリング・テーブルである、付記９に記載の装置。
（付記１１）
直交周波数分割多重（ＯＦＤＭ）放送信号を送信する送信機において使用される方法であって、
前記ＯＦＤＭ放送信号に対する隣接チャネル干渉（ＡＣＩ）のレベルを推定することと、
前記ＡＣＩのレベルが閾値より高い場合に、前記ＯＦＤＭ放送信号を選択的にフィルタリングすることと
を含む、方法。
（付記１２）
前記ＯＦＤＭ放送信号が、ＤＶＢ−Ｔ２に従ってフォーマットされている、付記１１に記載の方法。
（付記１３）
前記ＯＦＤＭ放送信号がいつフィルタリングされたかを示すために前記ＯＦＤＭ放送信号におけるシグナリング情報を修正すること
をさらに含む、付記１１に記載の方法。
（付記１４）
前記ＯＦＤＭ放送信号が、ＤＶＢ−Ｔ２に従ってフォーマットされており、前記シグナリング情報がＬ１プレシグナリング・テーブルである、付記１３に記載の方法。
【図１】
0006679580.tif 000002
【図２】
0006679580.tif 000003
【図３】
0006679580.tif 000004
【図４】
0006679580.tif 000005
【図５】
0006679580.tif 000006
【図６】
0006679580.tif 000007
【図７】
0006679580.tif 000008
【図８】
0006679580.tif 000009
【図９】
0006679580.tif 000010
【図１０】
0006679580.tif 000011